(57)【要約】【課題】  トナー消費量に応じたサービス料金を課す画像形成サービスにおいて、適正なサービス料金を課すことの可能な課金処理システムを提供する。【解決手段】  ＭＦＰ１の画像処理装置５が課金処理システムとしての機能を有し、この画像処理装置５は、ＭＦＰ１の処理対象となる画像に対応する画像データに基づき、該画像の画素毎の画素値を検出するカウント部７１と、上記検出された各々の画素値に対して、各々の画素値に応じた所定の係数を重み付けする重み付け演算部７２と、上記重み付けされた各々の画素値を積算する積算部７４と、積算部７４による積算値に基づいて、上記画像を形成するのに要するトナー量を算出するトナー消費量算出部８０と、算出されたトナー量に応じて、ＭＦＰ１の使用に対するサービス料金を決定する料金決定部９０と、を含む。【選択図】  図１
2006292971.tif 000002
【特許請求の範囲】
【請求項１】
画像形成装置の使用に対して課金処理を行う課金処理システムにおいて、
上記画像形成装置の処理対象となる画像に対応する画像データに基づき、該画像の画素毎の画素値を検出する画素値検出手段と、
上記検出された各々の画素値に対して、各々の画素値に応じた所定の係数を重み付けする重み付け演算手段と、
上記重み付けされた各々の画素値を積算する積算手段と、
上記積算手段による積算値に基づいて、上記画像を形成するのに要するトナー量を算出するトナー量算出手段と、
上記トナー量算出手段によって算出されたトナー量に応じて、上記画像形成装置の使用に対するサービス料金を決定する料金決定手段と、
を含むことを特徴とする課金処理システム。
【請求項２】
各々の画素値に応じた所定の係数を格納する重み付け係数テーブルを含み、
上記重み付け演算手段は、上記重み付け係数テーブルから上記所定の係数を読み出すことを特徴とする請求項１に記載の課金処理システム。
【請求項３】
上記重み付け係数テーブルに格納されている所定の係数は可変であることを特徴とする請求項２に記載の画像形成装置の課金処理システム。
【請求項４】
上記重み付け係数テーブルに格納されている所定の係数を書き換える書き換え手段を含むことを特徴とする請求項２に記載の課金処理システム。
【請求項５】
上記画像形成装置の像担持体に対して、試験用トナーパッチを形成するトナーパッチ形成手段と、
上記像担持体に形成された試験用トナーパッチを読み取ることによって、読み取りデータを生成する読み取り手段と、
上記読み取りデータに基づいて、上記画像形成装置の中間調ガンマ特性を検知する検知手段と、を含み、
上記書き換え手段は、上記検知手段によって検知された中間調ガンマ特性に応じて、上記所定の係数を書き換えることを特徴とする請求項４に記載の課金処理システム。
【請求項６】
上記料金算出手段は、上記トナー量に応じて、離散的に料金を決定することを特徴とする請求項１ないし５のいずれか１項に記載の課金処理システム。
【請求項７】
上記料金算出手段によって算出されるサービス料金を示す情報を表示する表示部を有することを特徴とする請求項１ないし６のいずれか１項に記載の課金処理システム。
【請求項８】
画像形成装置の使用に対して課金処理を行う課金処理プログラムであって、コンピュータを、請求項１ないし７のいずれか１項に記載の画素値検出手段，重み付け演算手段，積算手段，トナー量算出手段，料金決定手段，書き換え手段として機能させる課金処理プログラム。
【請求項９】
請求項８に記載のプログラムが記録されたコンピュータ読み取り可能な記録媒体。
【発明の詳細な説明】
【技術分野】
【０００１】
本発明は、画像形成装置を用いた画像形成サービスに対しての課金を行う課金処理システムに関する。
【背景技術】
【０００２】
一般的に、複写機、プリンタ等によって行われる画像形成サービスにおいては、枚数カウンタによって複写枚数またはプリント枚数をカウントし、カウントした複写枚数またはプリント枚数に応じたサービス料金をユーザーに課している。
【０００３】
これに対し、以下に示す特許文献１によれば、画像形成装置において、処理対象の画像に対応する各画素のデータ（画素値）を積算し、この積算値に基づいて、画像形成において消費されるトナー量を類推し、該トナー消費量を上記サービス料金の決定に加味することが提案されている。
【特許文献１】特開２０００−１９９０６（公開日：平成１２年１月２１日）
【発明の開示】
【発明が解決しようとする課題】
【０００４】
ここで、仮に、１画素を形成するのに必要なトナー量（以下、「トナー消費量特性」とする）が該画素の画素値に対して比例するのであれば、上記積算値は、上記処理対象の画像を形成するのに要するトナー量と比例することとなる。この場合、上記積算値からトナー量を正確に推定でき、適正なサービス料金を課すことが可能である。
【０００５】
しかしながら、上記トナー消費量特性は、該画素の画素値（信号入力値）に対して比例関係になく、図４に示すような非線形の特性を示す。それゆえ、特許文献１の技術によれば、正確なトナー消費量を算出できず、適正なサービス料金を課すことができないという問題が生じていた。
【０００６】
本発明は、トナー消費量に応じたサービス料金を課す画像形成サービスにおいて、適正なサービス料金を課すことの可能な課金処理システムを提供することを目的とする。
【課題を解決するための手段】
【０００７】
以上の目的を達成するために、本発明は、画像形成装置の使用に対して課金処理を行う課金処理システムにおいて、上記画像形成装置の処理対象となる画像に対応する画像データに基づき、該画像の画素毎の画素値を検出する画素値検出手段と、上記検出された各々の画素値に対して、各々の画素値に応じた所定の係数を重み付けする重み付け演算手段と、上記重み付けされた各々の画素値を積算する積算手段と、上記積算手段による積算値に基づいて、上記画像を形成するのに要するトナー量を算出するトナー量算出手段と、上記トナー量算出手段によって算出されたトナー量に応じて、上記画像形成装置の使用に対するサービス料金を決定する料金決定手段と、を含むことを特徴とする。
【０００８】
一般的に、１画素を形成するのに必要なトナー量（トナー消費量特性）は該画素の画素値に対して比例関係になく非線形の特性を示す。それゆえ、トナーによってある画像を形成する場合、該画像における各画素の画素値の積算値は、該画像を形成するために必要なトナー量（該画像における各々の画素を形成するのに要するトナー量を全画素について積算した値）と比例関係にはならず、該積算値のみに基づいて該画像を形成するのに要するトナー量を正確に推定することはできない。
【０００９】
そこで、本発明の構成によれば、上記画像形成装置の処理対象となる画像の画素毎の画素値を検出し、検出された各々の画素値に対して、各々の画素値に応じた所定の係数を重み付けしている。そして、この重み付けした各々の画素値を積算し、積算した値に基づいて、上記画像を形成するのに要するトナー量を算出し、このトナー量に応じて、上記画像形成装置の使用に対するサービス料金を決定している。
【００１０】
この構成において、重み付けした各々の画素値の積算値が、各々の画素値の画素を形成するのに要するトナー量を全画素について積算した値との間でほぼ比例関係になるように、上記重み付けを行えば、重み付けした各々の画素値の積算値から、画像を形成するのに要するトナー量をほぼ正確に予測演算することが可能となる。それゆえ、上記構成によれば、従来構成よりも、正確にトナー量を算出でき、適正なサービス料金を決定できるという効果を奏する。
【００１１】
さらに、このように、画像を形成するのに要するトナー量に応じてサービス料金を決定することにより、例えば、低印字率で画像を形成した場合等に利用者に過剰な料金を課す弊害を抑制することができる。
【００１２】
なお、上記画素とは、画像形成装置が入力する画像の一単位または画像形成装置が出力する画像の一単位のいずれであってもよい。
【００１３】
また、本発明に係る画像形成装置の課金処理システムの利用形態としては、（ａ）上記課金処理システムの全構成要素を画像形成装置に実装する形態、（ｂ）画像形成装置とは別体で構成されていると共に該画像形成装置と通信可能な課金処理装置に対し、上記課金処理システムの全構成要素を実装する形態、（ｃ）上記課金処理システムの一部の構成要素を画像形成装置に実装し、残りの構成要素を、上記課金処理装置に実装する形態、が考えられる。
【００１４】
本発明の画像形成装置の課金処理システムは、上記構成に加えて、各々の画素値に応じた所定の係数を格納する重み付け係数テーブルを含み、上記重み付け演算手段は、上記重み付け係数テーブルから所定の係数を読み出す構成であってもよい。さらに、上記重み付け係数テーブルに格納されている所定の係数は可変であることが好ましい。
【００１５】
上述したトナー消費量特性、つまり１画素を形成するのに必要なトナー量は、機器やライフ等に応じて変化するものである。そこで、上記構成によれば、上記重み付け係数テーブルに格納されている所定の係数を書き換える（可変とする）構成としている。それゆえ、上述したトナー消費量特性が、機器やライフ等に応じて変化した場合であっても、このトナー消費量特性の変化に追従させて、上記所定の係数を変化させることによって、機差やライフ等に関係なくトナー消費量をほぼ正確に算出することができる。
【００１６】
また、本発明の画像形成装置の課金処理システムは、上記構成に加えて、上記画像形成装置の像担持体に対して、試験用トナーパッチを形成するトナーパッチ形成手段と、上記像担持体に形成された試験用トナーパッチを読み取ることによって、読み取りデータを生成する読み取り手段と、上記読み取りデータに基づいて、上記画像形成装置の中間調ガンマ特性を検知する検知手段と、を含み、上記書き換え手段は、上記検知手段によって検知された中間調ガンマ特性に応じて、上記所定の係数を書き換える構成であってもよい。
【００１７】
画像形成装置のライフや使用環境の変化によって、上記画像形成装置における中間調ガンマ特性は変化するが、この中間調ガンマ特性の変化に応じて、上記トナー消費量特性（１画素を形成するのに必要なトナー量）も変化する。そこで、上記構成によれば、上記画像形成装置における中間調ガンマ特性の変化に応じて、上記所定の係数を書き換えることとしている。それゆえ、上記画像形成装置におけるトナー担持体の中間調ガンマ特性が変化しても、トナー消費量をほぼ正確に算出することができる。
【００１８】
また、本発明の画像形成装置の課金処理システムにおいて、上記料金算出手段は、上記トナー量に応じて、離散的（段階的）に料金を決定することが好ましい。
【００１９】
それゆえ、決定される料金に端数が含まれるようなことを回避でき、料金を支払う利用者、料金を徴収する管理者の便宜を図ることができる。例えば、１０円単位の料金を離散的に決定すれば、利用者にとって、１円単位の半端な料金が課されることはない。また、管理者にとっても、１円単位の半端な料金を徴収することを回避できる。
【００２０】
さらに、本発明の画像形成装置の課金処理システムは、上記構成に加え、上記料金算出手段によって算出されるサービス料金を示す情報を表示する表示部を有することが好ましい。
【００２１】
それゆえ、画像形成装置の使用に対するサービス料金を利用者に対してリアルタイムで示すことができる。
【００２２】
なお、本発明はコンピュータによって実現してもよく、この場合には、コンピュータを上記画素値検出手段，重み付け演算手段，積算手段，トナー量算出手段，料金決定手段，書き換え手段として動作させるプログラム、および、該プログラムを記録したコンピュータ読み取り可能な記録媒体も、本発明の範疇に入る。
【発明の効果】
【００２３】
本発明は、上記画像形成装置の処理対象となる画像に対応する画像データに基づき、該画像の画素毎の画素値を検出する画素値検出手段と、上記検出された各々の画素値に対して、各々の画素値に応じた所定の係数を重み付けする重み付け演算手段と、上記重み付けされた各々の画素値を積算する積算手段と、上記積算手段による積算値に基づいて、上記画像を形成するのに要するトナー量を算出するトナー量算出手段と、上記トナー量算出手段によって算出されたトナー量に応じて、上記画像形成装置の使用に対するサービス料金を決定する料金決定手段と、を含む構成である。
【００２４】
それゆえ、上記構成によれば、従来の構成よりも、正確にトナー量を算出でき、適正なサービス料金を決定できるという効果を奏する。
【発明を実施するための最良の形態】
【００２５】
〔実施の形態１〕
以下、図面に基づいて、本発明の一実施形態の課金処理システムを説明するが、まず、該課金処理システムの適用対象であるＭＦＰ（Multi Function Printer）について説明する。図２は、ＭＦＰの一例を示した斜視図である。
【００２６】
図２に示すように、ＭＦＰ(画像形成装置)１は、ＣＣＤ（Charge Coupled Device）等にて原稿を読み取って画像信号を出力する画像読取装置（スキャナ）２と、上記画像信号に基づいて用紙上に画像を形成（印刷）するプリンタ３と、プリンタ３に順次用紙を供給する給紙デスク装置４と、を含む構成である。
【００２７】
つぎに、図３に基づいて、プリンタ３の内部構成について説明する。図３は、プリンタ３の内部構成を示す縦断面図である。図３に示すように、プリンタ３は、電子写真方式のデジタルプリンタであり、画像処理装置５、制御装置６、プリント部７を含む構成である。
【００２８】
画像処理装置５は、画像読取装置２が出力する画像信号に画像処理を施し、画像処理を施した画像信号をプリント部７に送信するコンピュータであるが、本実施形態では、この画像処理装置５は上記課金処理システムとしても機能する。制御装置６は、ＭＦＰ１を統括的に制御するコンピュータである。プリント部７は、タンデム方式のレーザ露光装置から構成され、画像処理装置５にて画像処理の施された画像信号に基づいて、用紙上にカラー画像を形成するものである。
【００２９】
（画像処理装置の構成）
以下では、画像処理装置５について、図１の機能ブロック図に基づいて説明する。
【００３０】
図１は、画像処理装置５の機能ブロック図である。図１に示すように、画像処理装置５には、入力信号処理部１０，領域分離処理部２０，色補正・黒生成処理部３０，ズーム変倍処理部４０，空間フィルタ処理部５０，中間調補正処理部６０，ピクセルカウント部７０，トナー消費量算出部８０，料金決定部９０が備えられている。そして、画像処理装置５において、画像読取装置２で読み込まれた原稿のデジタル入力画像信号は、入力信号処理部１０、領域分離処理部２０、色補正・黒生成処理部３０、ズーム変倍処理部４０、空間フィルタ処理部５０、中間調補正処理部６０を経て、出力画像信号として出力される。
【００３１】
なお、この画像処理装置５における各ブロックのうち、ピクセルカウント部７０，トナー消費量算出部８０，料金決定部９０が本実施形態の課金処理システムを構成する。
【００３２】
入力信号処理部１０では、画像読取装置２にて読み込まれた原稿のデジタル入力画像信号に対して、それ以降の画像処理に対する前処理や、画像調整における入力ガンマ補正、変換等が行われる。
【００３３】
領域分離処理部２０では、文字領域、網点写真領域等の領域判定が行われ、領域ごとにそれを示す識別信号（領域分離識別信号）が付加される。この領域分離識別信号は、以降の処理である空間フィルタ処理部５０や中間調補正処理部６０において、各領域別に異なった処理、例えば網点領域であれば平滑フィルタ処理をその領域に対して行い、また、文字領域であればエッジ強調フィルタ処理を行ったり、中間調のガンマ特性を濃淡差のよりはっきりした特性に変更したりする場合に用いられる。
【００３４】
色補正・黒生成処理部３０では、領域分離処理部２０から送られてきたＲＧＢの画像信号に対して、最終的な出力方法であるＣＭＹＫ（シアン、マゼンタ、イエロー、ブラック）の画像信号に変換する。ズーム変倍処理部４０では、色補正・黒生成処理部３０により変換されたＣＭＹＫの画像信号に対して、変倍処理を行う。
【００３５】
空間フィルタ処理部５０では、上述した領域分離識別信号や画像モードの設定状態等に応じた空間フィルタを空間フィルタテーブルから選び、ＣＭＹＫに変換された画像信号に対して空間フィルタ処理を行う。
【００３６】
中間調補正処理部６０では、空間フィルタ処理が行われた画像信号に対して、中間調ガンマ特性の補正を行う。そして、中間調補正処理部６０での中間調補正処理後の画像信号が出力画像信号として出力される。
【００３７】
ピクセルカウント部７０では、中間調補正処理部６０における中間調補正処理後の画像信号に対して、ピクセル単位でＣＭＹＫ信号ごとに重み付け係数を掛け合わせながらピクセルカウントを行う。トナー消費量算出部８０では、ピクセルカウントの積算値から各色（ＣＭＹＫ）のトナー消費量を算出する。なお、ピクセルカウント部７０およびトナー消費量算出部８０の処理については後で詳述する。
【００３８】
料金決定部（料金決定手段）９０は、トナー消費量算出部８０によって算出されたトナー消費量に応じて、ＭＦＰ１の使用に対するサービス料金を決定し、決定したサービス料金を図示しないメモリに格納し、該サービス料金を示す情報を表示部２ａ（図２参照）に表示するブロックである。なお、料金決定部９０は、例えば、以下の表１に示すようなトナー消費量−料金変換テーブルを参照して、上記トナー消費量に応じたサービス料金を決定する。
【００３９】
【表１】
2006292971.tif 000003
【００４０】
但し、以上示した変換テーブルを用いず、所定の演算式によって上記トナー消費量からサービス料金を算出する形態であってもよい。
【００４１】
（トナー濃度補正、中間調ガンマ補正）
また、上述のようなＭＦＰ１のエンジン側（プリンタ３）の制御として、感光体や現像剤等の経時変化を抑えるために、露光量やトナー濃度の補正量、現像バイアス値のコントロール等のプロセス条件の設定を制御することによって、初期からライフエンドまで一定のトナー濃度や画像出力を得るよう制御している。
【００４２】
図１０は、エンジン側の制御であるトナー濃度コントロール処理を簡単に示したフローチャートである。このトナー濃度コントロール処理では、ライフカウンタや環境センサ等の数値によって、トナー濃度センサによる制御値を決め（Ｓ１１１、Ｓ１１２）、その値に従って、トナー補給のＯＮ／ＯＦＦを制御している。つまり、トナー濃度が低い場合（Ｓ１１３でＹＥＳと判断された場合）には、トナー補給をＯＮにして、トナー補給を行うように制御している（Ｓ１１４）。これにより、トナー濃度を常に一定に保つようにコントロールしている。
【００４３】
また、図１１は、トナーパッチによる中間調ガンマ補正処理を簡単に示したフローチャートである。この中間調ガンマ補正処理では、予め定められた固定入力値による中間調パターン（トーン）でトナーパッチを感光体あるいは転写ベルト上等に形成し（Ｓ１２１〜Ｓ１２３）、そのトナーパッチを光学センサ等の読み取り装置で反射光量を読み取る（Ｓ１２４）。次に、この読み取ったトナーパッチのセンサ出力値と、目標値となる基準ターゲット値とを比較して、補正量を算出する（Ｓ１２５）。そして、この算出された補正量に従って、現在の中間調ガンマ補正テーブルを修正し（Ｓ１２６）、これにより、常に一定の中間調ガンマ特性が得られるようにコントロールしている。
【００４４】
（ピクセルカウント、トナー消費量の算出）
つぎに、図１に示すピクセルカウント部７０およびトナー消費量算出部８０におけるトナー消費量を算出する処理について詳しく説明する。なお、以下に述べる処理は、ＣＭＹＫ各色について（入力されるＣＭＹＫ信号ごとに）、それぞれ行われるものとする。
【００４５】
ピクセルカウント部７０は、入力された多値画像に対して、後述するようなピクセルカウントを行う。ピクセルカウント部７０は、図１に示すように、カウント部７１と、重み付け演算部７２と、重み付け係数テーブル７３と、積算部７４と、を備えている。
【００４６】
カウント部（画素値検出手段）７１は、入力された多値画像（例えば、１６階調、２５６階調等の多階調の画像）をピクセルごとにカウントする。つまり、カウント部７１は、多値画像を構成するピクセルごとの入力信号値（階調，画素値）、例えば、０〜１５（入力信号値が０〜１５の値をとる１６階調の場合）のような入力信号値を検出する。
【００４７】
重み付け演算部（重み付け演算手段）７２は、カウント部７１によりピクセルをカウントする際にピクセルごとに重み付けを行う。具体的には、重み付け演算部７２は、ピクセルごとの入力信号値に対応する重み付け係数を重み付け係数テーブル７３から取得して、入力信号値に取得した重み付け係数を掛け合わせる。
【００４８】
重み付け係数テーブル７３には、重み付け演算部７２により重み付けを行う際にピクセル入力値ごとに対応する重み付け係数が格納されている。
【００４９】
このように、ピクセルカウント部７０では、カウント部７１、重み付け演算部７２、重み付け係数テーブル７３によりピクセルごとのピクセルカウントが行われる。
【００５０】
そして、ピクセルごとに行われたピクセルカウントの積算が積算部（積算手段）７４により行われる。つまり、積算部７４は、重み付け演算部７２による入力信号値に重み付け係数を掛け合わせたピクセルごとの演算値を、入力された多値画像の全てのピクセルについて積算する。このように、ピクセルカウント部７０で算出されたピクセルカウントの積算値に基づいて、トナー消費量算出部（トナー量算出手段）８０は、出力画像のトナー消費量を算出するようにしている。
【００５１】
上記の重み付け係数テーブル１７３に格納されている重み付け係数は、予め定められた固定の値となっている。入力信号値が０〜１５の値をとる１６値の入力信号値である場合の重み付け係数テーブル７３の一例を、次の表２に示す。
【００５２】
【表２】
2006292971.tif 000004
【００５３】
表２の場合、トナー消費量の違う入力信号値に対応して４つのエリア（エリア１〜エリア４）に分けられ、エリアごとに重み付け係数が定められている。ピクセルカウントの際には、４つのエリアに分けられた重み付け係数が、０〜１５の値をとるそれぞれの入力信号値に対応して決定され、重み付けが行われる。
【００５４】
図４は、表１に示す４つのエリアに分けられた重み付け係数テーブルの信号入力値とそれに対応する重み付け係数との関係を示している。図４に示すように、矩形部分の面積の総和がトナー消費量特性を示す曲線の面積と略一致しているため、重み付け後のピクセルカウントの積算値からトナー消費量を予測計算することができる。
【００５５】
言い換えると、表２および図４の例によれば、画素値と重み付け係数との関数の積分値（図４における矩形部分の面積の総和）は、画素値とトナー消費量との関数の積分値（図４におけるトナー消費量特性を示す曲線の積分値）とほぼ一致する。それゆえ、重み付けした各々の画素値の積算値は、各々の画素値の画素を形成するのに要するトナー量を全画素について積算した値と比例関係に近くなる。これにより、重み付けした各々の画素値の積算値から、画像を形成するのに要するトナー量をほぼ正確に予測演算することが可能となる。
【００５６】
つぎに、図５を用いて、ピクセルカウント部７０およびトナー消費量算出部８０における１ピクセル分のトナー消費量の算出手順について説明する。図５に示すように、多値画像を構成する１ピクセル分の信号がピクセルカウント部７０に入力されると（Ｓ１１）、カウント部７１により入力信号値がカウントされる。次に、重み付け演算部７２により、重み付け係数テーブル７３から入力信号値に対応する重み付け係数が取得され（Ｓ１２）、入力信号値に取得された重み付け係数が掛け合わせられる（Ｓ１３）。このようにして求められた１ピクセル分のピクセルカウントの値に基づいて、１ピクセル分のトナー消費量がトナー消費量算出部８０により算出されることとなる。なお、Ｓ１３において、１ピクセル分の求められたピクセルカウント値は、積算部７４により順次積算されて、ピクセルカウント積算値として保存される（Ｓ１４）。ピクセルカウント積算値は、入力された全てのピクセル分のピクセルカウント値であり、このピクセルカウント積算値に基づいて、出力画像のトナー消費量がトナー消費量算出部８０により算出される。
【００５７】
（ＭＦＰにおける処理の全体の流れ）
つぎに、以上説明したＭＦＰ１について、実際に利用者が利用した場合における処理の全体の流れを図６のフローチャートに基づいて説明する。
【００５８】
まず、ＭＦＰ１において、電源が投入されると（Ｓ２１）、表示部２ａに「料金計算モード」「通常モード」のいずれかを選択するためのモード選択用ＩＦ画面が表示される。なお、「料金計算モード」とは、ＭＦＰ１が画像形成処理を行った場合、該画像形成処理に対するサービス料金を算出するモードをいい、「通常モード」とは、ＭＦＰ１が画像形成処理を行った場合でも、該画像形成処理に対するサービス料金を算出しないモードをいう。
【００５９】
ここで、ＭＦＰ１の管理者が、上記モード選択用ＩＦ画面を用いて、「通常モード」または「料金計算モード」のいずれかを選択すると、ＭＦＰ１は、管理者によって選択されたモードに設定される（Ｓ２２）。
【００６０】
なお、Ｓ２２において、ＭＦＰ１の管理者は、営利目的でＭＦＰ１を用いる場合（課金目的、つまりコピーサービスを目的としたもの）、「料金計算モード」を選択し、非営利目的でＭＦＰ１を用いる場合、「通常モード」を選択する。
【００６１】
そして、「通常モード」または「料金計算モード」のいずれかに設定されたＭＦＰ１は、画像形成処理の待機状態（プリントキーのオンを待機する状態）に移行する（Ｓ２３）。なお、待機状態において、表示部２ａには、印刷時のプロパティを設定するためのプロパティ設定用ＩＦ画面が表示される。利用者は、このプロパティ設定用ＩＦ画面によって、「フルカラーコピー」または「白黒コピー」を設定し、「用紙サイズ（Ｂ５、Ａ４、Ａ３など）」、「複写倍率」、「複写枚数」を選択、設定できる。
【００６２】
そして、この待機状態において、利用者が、画像読取装置２の原稿台または給紙トレイに原稿を置き、プリントキーを押すと（Ｓ２３においてＹＥＳ）、ＭＦＰ１は、画像読取装置２が出力する画像信号に基づいて、用紙上に画像を形成する（Ｓ２４）。
【００６３】
ここで、ＭＦＰ１が「料金計算モード」に設定されている場合（Ｓ２５においてＹＥＳ）、ＭＦＰ１は、Ｓ２４の画像形成処理に対するサービス料金の算出処理を開始する。
【００６４】
具体的に、ＭＦＰ１では、まず、用紙上に形成した画像に対応する画像信号に基づき、ピクセルカウント部７０によるピクセルカウント処理が行われる（Ｓ２６）。つまり、Ｓ２６において、ＭＦＰ１では、用紙上に形成する画像に対応する画像信号に基づき、該画像の画素毎の画素値が検出され、検出された各画素値に対して、各々の画素値に応じた所定の係数が重み付けされ、重み付けされた各々の画素値が積算され、積算値が算出される。
【００６５】
つぎに、ＭＦＰ１では、ピクセルカウント処理によって得られた積算値に基づいて、トナー消費量が計算される（Ｓ２７）。さらに、ＭＦＰ１では、表１にて示したテーブルを参照して、Ｓ２６にて算出したトナー消費量に応じたサービス料金を決定し、決定したサービス料金を表示部２ａに表示する（Ｓ２８）。そして、Ｓ２８の後、ＭＦＰ１は、Ｓ２３の待機状態へ戻る。
【００６６】
また、ＭＦＰ１は、Ｓ２２において「通常状態」に設定された場合、Ｓ２４の後、Ｓ２６〜Ｓ２８の処理は行われずに、待機状態へ戻る（Ｓ２５においてＮＯ）。
【００６７】
以上のように、本実施形態においては、ＭＦＰ１の処理対象となる画像の画素毎の画素値を検出し、検出された各々の画素値に対して、各々の画素値に応じた係数を重み付けしている。そして、この重み付けした各々の画素値を積算し、積算した値に基づいて、上記画像を形成するのに要するトナー量を算出し、このトナー量に応じて、ＭＦＰ１の使用に対するサービス料金を決定している。
【００６８】
また、本実施形態では、重み付けした各々の画素値の積算値が、各々の画素値の画素を形成するのに要するトナー量を全画素について積算した値と比例関係に近くなるように、上記重み付けを行っている。それゆえ、重み付けした各々の画素値の積算値から、画像を形成するのに要するトナー量をほぼ正確に予測演算することが可能となる。よって、本実施形態によれば、従来の構成よりも、正確にトナー量を算出でき、適正なサービス料金を決定できる。
【００６９】
また、以上の実施形態によれば、表１に示すように、算出されたトナー消費量に応じて、離散的（段階的に）にサービス料金を決定している。それゆえ、決定されるサービス料金に端数が含まれるようなことを回避でき、料金を支払うＭＦＰ１の利用者、料金を徴収するＭＦＰ１の管理者の便宜を図ることができる。例えば、１０円単位のサービス料金を離散的に決定すれば、利用者にとって、１円単位の半端な料金が課されることはない。また、管理者にとっても、１円単位の半端な料金を徴収することを回避できる。
【００７０】
なお、図６において示した手順では、ＭＦＰ１の利用に対するサービス料金は、トナー消費量に応じて算出されることになるが、その他の要素を加味したサービス料金を算出してもよい。例えば、トナー消費量に応じて算出したサービス料金ａと、画像形成処理における使用用紙サイズ、使用用紙枚数、複写倍率等に応じたサービス料金ｂとを算出し、サービス料金ａとサービス料金ｂとの合計額を利用者に課す形態であってもよい。
【００７１】
また、図６において示した手順において、Ｓ２４は、Ｓ２６〜Ｓ２８の後に行われてもよいし、Ｓ２６〜Ｓ２８と併行して行われてもよい。つまり、プリントキーが押されると、ＭＦＰ１は、画像読取装置２にて読み取られた画像信号に基づいて用紙上に画像を形成する処理を行うが、この画像形成動作の前にサービス料金の算出および表示処理を行ってもよいし、画像形成動作と同時にサービス料金の算出および表示処理を行ってもよい。
【００７２】
また、図６において示した手順では、ＭＦＰ１の電源投入時に、「通常モード」または「料金計算モード」のいずれかのモード設定を行うこととなるが、このモード設定は、画像形成動作の度に行なわれるものであってもよいし、また、サービスエンジニアによるセットアップ時のみに設定可能なものであってもよい。
【００７３】
さらに、ＭＦＰ１とは別体で、料金を回収するための料金処理装置を構成し、ＭＦＰ１と料金処理装置とを有線または無線で接続し、該料金処理装置において、ＭＦＰ１の利用に対するサービス料金を算出する構成にしてもよい。この場合、課金処理システムを構成するピクセルカウント部７０、トナー消費量算出部８０、料金決定部９０を該料金処理装置に備えることとなる。なお、この場合、以上示したＭＦＰ１の中間調補正処理部６０から出力される画像信号を料金処理装置へ送信することが必要となる。また、この場合、ＭＦＰ１の画像形成動作中や待機中を示す情報や、印刷時のプロパティに関する情報を、ＭＦＰ１から料金処理装置へ伝送することも必要となる。さらに、この場合、画像形成の許可／不許可を示す情報を、料金処理装置からＭＦＰ１へ伝送する構成であってもよい。
【００７４】
また、課金処理システムを構成するピクセルカウント部７０、トナー消費量算出部８０、料金決定部９０のうち、一部のブロック（例えば、料金決定部９０）のみを上記料金処理装置に構成し、その他のブロックをＭＦＰ１に構成する形態も考えられる。
【００７５】
なお、以上示した実施形態では、課金処理システムの対象装置は、カラー画像を形成できるタンデム方式のレーザ露光装置から構成されるＭＦＰ１であるが、上記対象装置としては、インクジェットプリンタであってもよいし、また、モノクロレーザプリンタであってもよいし、さらに、感光材料からなる印画紙に対して露光を行う写真焼付装置等であってもよい。
【００７６】
〔実施の形態２〕
つぎに、本発明における他の実施の一形態について、図面に基づいて説明すれば、以下のとおりである。なお、説明の便宜上、実施の形態１で説明した部材と同一の機能を有する部材については、同一の符号を付して、その説明を省略する。
【００７７】
実施の形態１では、ピクセルカウントを行って、出力画像のトナー消費量を算出する場合、重み付け係数テーブルとして、予め定められた固定の重み付け係数が用いられている。
【００７８】
ところが、固定の重み付け係数テーブルを用いた場合には、図９に示すように、ある入力信号値に対して重み付け係数テーブルから決定される重み付け係数が、その入力信号値に対するトナー消費量特性を示す曲線上の値と、かなり異なる場合がある。このため、重み付け後のピクセルカウントの積算値からトナー消費量を正確に算出できない虞がある。
【００７９】
この場合、例えば、図９に示すように、入力信号値のとりうる値の数だけ、つまり、入力信号の階調数分だけ重み付け係数を割り当てた重み付け係数テーブルを用いることによって、実際のトナー消費量特性と、ピクセルカウントにより算出されるトナー消費量との差を小さくする方法が考えられる。
【００８０】
しかし、機差やライフ等でトナー消費量特性が、図９の実線で示す曲線Ｄから破線で示す曲線Ｅに変化した場合等には、重み付け係数テーブルの階調を上げただけでは、トナー消費量特性の変化に追従できず、実際のトナー消費量特性と、ピクセルカウントにより算出されるトナー消費量との差は縮まらず、正確にトナー消費量を算出できない虞がある。
【００８１】
そこで、本実施形態においては、以下で説明するように、重み付け係数テーブル７３の値を可変としている。以下では、本実施形態のピクセルカウント部７０の構成および処理について説明する。
【００８２】
図１２に示すように、本実施形態におけるピクセルカウント部７０は、実施の形態１にて説明したカウント部７１，重み付け演算部７２，重み付け係数テーブル７３，積算部７４の他、書き換え部７５が備えられている。
【００８３】
書き換え部（書き換え手段）７５は、重み付け係数テーブル７３に格納されている各係数を書き換える処理を行うブロックである。以下では、重み付けテーブル７３に格納されている各係数を書き換える処理を詳細に説明する。
【００８４】
本実施形態において、重み付け係数テーブル７３に格納される重み付け係数は、実施の形態１とは異なって可変であり、書き換え部７５により書き換え可能となっている。入力信号値が０〜１５の値をとる１６値の入力信号値である場合の重み付け係数テーブル７３の一例を、次の表３に示す。
【００８５】
【表３】
2006292971.tif 000005
【００８６】
表３において、０〜１５の各入力信号値に対応する重み付け係数（Ｘ０〜Ｘ１５）は、それぞれ可変となっている。そして、Ｘ０〜Ｘ１５の各重み付け係数は、書き換え部７５により次のようにして書き換えられる。
【００８７】
図７に示すように、まず、トナー濃度の補正を行った後（Ｓ３１）、図８のポイントＡ〜Ｃで示すような、互いにトーンが異なる複数のトナーパッチを感光体あるいは転写ベルト上等に形成する（Ｓ３２）。つまり、予め定められた複数の入力ポイントのハーフトーントナーパッチを感光体あるいは転写ベルト上等に形成する。
【００８８】
なお、感光体あるいは転写ベルト（像担持体）上にトナーパッチ（試験用トナーパッチ）を形成する処理は、制御装置６が、レーザスキャナユニット，トナー補給装置，感光体等からなる画像形成ステーション（トナーパッチ形成手段）Ｐａ〜Ｐｄを制御することによって行われる（図３参照）。
【００８９】
そして、そのトナーパッチを図示しない光学センサ等の読み取り手段で反射光量を読み取る（Ｓ３３）。図８では、縦軸が光学センサ等の読み取り手段のセンサ出力、横軸が信号入力値（階調）である。入力ポイントの数は特に限定されないが、３点以上であることが望ましい。なお、以上のＳ３１〜Ｓ３３までの手順は、実施の形態１で述べた図１１に示す中間調ガンマ補正処理におけるステップＳ１２２〜ステップＳ１２４の手順と同様であるので、この中間調ガンマ補正処理の結果を利用して、以下の手順を行うようにしてもよい。
【００９０】
続いて、複数の入力ポイントのトナーパッチのセンサ出力（読み取りデータ）に基づいて、図８の破線で示すような中間調ガンマ特性を算出する（Ｓ３４）。算出された中間調ガンマ特性に基づいて、さらに、図８の実線で示すような信号入力値に対するトナー消費量特性を算出する（Ｓ３５）。このように算出されたトナー消費量特性に基づいて重み付け係数を決定して、重み付け係数テーブル７３に格納されている重み付け係数を決定された重み付けに書き換えていく（Ｓ３６）。表３の場合、０〜１５の各入力信号値に対応するＸ０〜Ｘ１５の各重み付け係数が、トナー消費量特性に従って書き換えられる。
【００９１】
なお、Ｓ３４〜Ｓ３５の処理は、制御装置６によって行われてもよく、また、画像処理装置５において行われても良い。Ｓ３６の処理は、書き換え部７５によって行われる。
【００９２】
このように、書き換え部７５により書き換えられた重み付け係数を用いて、ピクセルカウント部７０において入力された多値画像のピクセルカウントが行われ、トナー消費量算出部８０において出力画像のトナー消費量が算出される。
【００９３】
これにより、機差やライフ等で実際のトナー消費量特性が変化した場合であっても、このトナー消費量特性の変化に追従させて、重み付け係数テーブル７３の書き換えを行うことができ、トナー消費量特性の算出を最適化することができる。この結果、機差やライフ等に関係なくトナー消費量を正確に算出することができる。つまり、書き換え部７５により書き換えられる重み付け係数テーブル７３を用いて算出されるトナー消費量と、実際のトナー消費量との誤差を小さく抑えることができる。
【００９４】
本発明は上述した各実施形態に限定されるものではなく、請求項に示した範囲で種々の変更が可能であり、上述した各実施形態において開示された各技術的手段を適宜組み合わせて得られる実施形態についても本発明の技術的範囲に含まれる。
【００９５】
なお、上記実施形態の画像処理装置５に含まれる各部は、ＣＰＵ（Central Processing Unit）などの演算手段が、ＲＯＭ（Read Only Memory）やＲＡＭ（Random Access Memory）などの記憶手段に記憶されたプログラムを実行し、キーボードなどの入力手段、ディスプレイなどの出力手段、あるいは、インターフェース回路などの通信手段を制御することにより実現される機能ブロックである。
【００９６】
したがって、これらの手段を有するコンピュータが、上記プログラムを記録した記録媒体を読み取り、当該プログラムを実行するだけで、本実施形態の画像処理装置５の各種機能および各種処理を実現することができる。また、上記プログラムをリムーバブルな記録媒体に記録することにより、任意のコンピュータ上で上記の各種機能および各種処理を実現することができる。
【００９７】
この記録媒体としては、マイクロコンピュータで処理を行うために図示しないメモリ、例えばＲＯＭのようなものがプログラムメディアであっても良いし、また、図示していないが外部記憶装置としてプログラム読み取り装置が設けられ、そこに記録媒体を挿入することにより読み取り可能なプログラムメディアであっても良い。
【００９８】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００９９】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１００】
また、インターネットを含む通信ネットワークを接続可能なシステム構成であれば、通信ネットワークからプログラムをダウンロードするように流動的にプログラムを担持する記録媒体であることが好ましい。
【０１０１】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【０１０２】
本発明の課金処理システムは、画像形成サービスに用いられるＭＦＰ、複写機、プリンタ、写真焼付用プリンタ等に適用可能である。
【図面の簡単な説明】
【０１０３】
【図１】本発明の一実施形態の課金処理システムを含む画像処理装置の構成を示す機能ブロック図である。
【図２】図１に示した画像処理装置を備えるＭＦＰの斜視図である。
【図３】図２に示したＭＦＰの縦断面図である。
【図４】信号入力値とトナー消費量との関係、信号入力値と重み付け係数との関係を示したグラフである。
【図５】図２に示したピクセルカウント部およびトナー消費量算出部における処理手順を示したフローチャートである。
【図６】図２に示したＭＦＰを利用者が利用した場合の、該ＭＦＰの処理の流れを示したフローチャートである。
【図７】本発明の他の実施形態における課金処理システムの処理手順であって、重み付け係数テーブルの書き換え処理の手順を示したフローチャートである。
【図８】信号値と、該信号値に基づいてトナー担持体上に形成したトナーパッチを光学センサにて読み取った値との関係を示したグラフである。
【図９】信号入力値と、該信号入力値に重み付けされる係数との関係を示したグラフである。
【図１０】トナー濃度コントロール処理の流れを示すフローチャートである。
【図１１】中間調ガンマ補正テーブルの書き換えまでの処理の流れを示すフローチャートである。
【図１２】本発明の他の実施形態におけるピクセルカウント部の構成を示した機能ブロック図である。
【符号の説明】
【０１０４】
１    ＭＦＰ（画像形成装置）
２    画像読取装置
２ａ  表示部
３    プリンタ
５    画像処理装置
７０  ピクセルカウント部
７１  カウント部（画素値検出手段）
７２  重み付け演算部（重み付け演算手段）
７３  重み付け係数テーブル
７４  積算部（積算手段）
７５  書き換え部（書き換え手段）
８０  トナー消費量算出部（トナー量算出手段）
９０  料金決定部（料金決定手段）
【図１】
2006292971.tif 000006
【図２】
2006292971.tif 000007
【図３】
2006292971.tif 000008
【図４】
2006292971.tif 000009
【図５】
2006292971.tif 000010
【図６】
2006292971.tif 000011
【図７】
2006292971.tif 000012
【図８】
2006292971.tif 000013
【図９】
2006292971.tif 000014
【図１０】
2006292971.tif 000015
【図１１】
2006292971.tif 000016
【図１２】
2006292971.tif 000017